(57)【特許請求の範囲】
【請求項１】
ユーザー機器ＵＥが報知したチャネルマトリクスＨを生成するための信号を受信することと、
受信した前記信号に基づいて、前記ＵＥのチャネルマトリクスＨを生成することと、
生成した前記Ｈに基づいて、ＵＥ間の相関性を表記するための空間分割情報テーブルを生成することと、
生成した前記空間分割情報テーブルに基づいて、ペアをなすユーザーを確定することと、を含み、
生成した前記Ｈに基づいて、ＵＥ間の相関性を表記するための前記空間分割情報テーブルを生成することが、二つずつのＵＥ間の相関性が所定の閾値未満であるか否かを判断することと、判断結果がＹＥＳである場合、前記ＵＥ間でペアリングを支援すると確定し、及び／又は、判断結果がＮＯである場合、前記ＵＥ間でペアリングを支援しないと確定することであって、但し、前記空間分割情報テーブルにて前記ＵＥがペアリングを支援するか支援しないかを表記することと、を含み、
生成した前記空間分割情報テーブルに基づいて、ペアをなすユーザーを確定することが、各ＵＥとのペアリングを支援するＵＥの数量を確定することと、それとのペアリングを支援する前記ＵＥの数量に基づいて、前記ＵＥに順位つけを行うことと、前記数量の多い順で、ユーザーペアリングを完成するまで、前記ＵＥとのペアリングを支援しないＵＥを削除することと、を含むユーザーペアリング処理方法。
【請求項２】
それとのペアリングを支援する前記ＵＥの数量に基づいて、前記ＵＥに順位つけを行うことが、
それとのペアリングを支援する前記ＵＥの数量が同じである場合、前記ＵＥのユーザー優先度に基づいて、前記ＵＥに順位つけを行うことを含む請求項１に記載の方法。
【請求項３】
生成した前記空間分割情報テーブルに基づいて、ペアをなすユーザーを確定する前、
前記ＵＥのサービス品質ＱｏＳ優先度、変調符号化メカニズムＭＣＳ情報、バッファ状態報告ＢＳＲ情報の中の少なくとも一つの情報を確定し、確定した前記ＵＥの前記情報の中の少なくとも一つと前記空間分割情報テーブルに基づいて、ペアをなすユーザーを確定することを更に含む請求項１又は２に記載の方法。
【請求項４】
ユーザー機器ＵＥが報知したチャネルマトリクスＨを生成するための信号を受信するように構成される受信モジュールと、
受信した前記信号に基づいて、前記ＵＥのチャネルマトリクスＨを生成するように構成される第１の生成モジュールと、
生成した前記Ｈに基づいて、ＵＥ間の相関性を表記するための空間分割情報テーブルを生成するように構成される第２の生成モジュールと、
生成した前記空間分割情報テーブルに基づいて、ペアをなすユーザーを確定するように構成される第１の確定モジュールと、を含み、
前記第２の生成モジュールが、二つずつのＵＥ間の相関性が所定の閾値未満であるか否かを判断するように構成される判断ユニットと、前記判断ユニットの判断結果がＹＥＳである場合、前記ＵＥ間でペアリングを支援すると確定するように構成される第１の確定ユニットと、及び／又は、前記判断ユニットの判断結果がＮＯである場合、前記ＵＥ間でペアリングを支援しないと確定するように構成される第２の確定ユニットと、を含み、ここで、前記空間分割情報テーブルにて前記ＵＥがペアリングを支援するか支援しないかを表記し、
前記第１の確定モジュールが、各ＵＥとのペアリングを支援するＵＥの数量を確定するように構成される第３の確定ユニットと、それとのペアリングを支援する前記ＵＥの数量に基づいて、前記ＵＥに順位つけを行うように構成される順位つけユニットと、前記数量の多い順で、ユーザーペアリングを完成するまで、前記ＵＥとのペアリングを支援しないＵＥを削除するように構成される削除ユニットと、を含むユーザーペアリング処理装置。
【請求項５】
前記順位つけユニットが、
それとのペアリングを支援する前記ＵＥの数量が同じである場合、前記ＵＥのユーザー優先度に基づいて、前記ＵＥに順位つけを行うように構成される順位つけサブユニットを含む請求項４に記載の装置。
【請求項６】
前記ＵＥのサービス品質ＱｏＳ優先度、変調符号化メカニズムＭＣＳ情報、バッファ状態報告ＢＳＲ情報の中の少なくとも一つの情報を確定し、確定した前記ＵＥの前記情報の中の少なくとも一つと前記空間分割情報テーブルに基づいて、ペアをなすユーザーを確定するように構成される第２の確定モジュールを更に含む請求項４又は５に記載の装置。
【請求項７】
請求項４乃至６の中のいずれか一項に記載の装置を含む基地局。
【発明の詳細な説明】
【技術分野】
【０００１】
本発明は、通信分野に関し、特に、ユーザーペアリング処理方法、装置及び基地局に関する。
【背景技術】
【０００２】
マルチユーザーの多入力・多出力（Ｍｕｌｔｉｐｌｅ  Ｕｓｅｒ−Ｍｕｌｔｉｐｌｅ  Ｉｎｐｕｔ  Ｍｕｌｔｉｐｌｅ  Ｏｕｔｐｕｔ、ＭＵ−ＭＩＭＯと略称）は、空間ダイバーシティ技術の一つで、システムの帯域幅を増やさずに通信システムの容量やスペクトル利用率を数倍向上させる。ダイバーシティによってマルチパスの減衰による影響を低減し、同一チャネル干渉を有効に削除し、チャネルの信頼性を向上させ、ビット誤り率を低下させることは、新世代の移動通信システムに用いられる核心技術である。
【０００３】
ＭＵ−ＭＩＭＯは、マルチユーザーに同一の時間周波数リソースを利用させることで、システムの容量を一層向上させる方法と技術である。ＭＵ−ＭＩＭＯのユーザーが時間周波数ドメインのリソースを空間分割するので、同一の時間周波数ドメインを空間分割するユーザー間の空間直交性が良好でなかったら、空間分割したユーザー間で厳しい干渉が発生し、空間分割したシステムのエアインターフェース容量を向上させることができないだけではなく、ビット誤り率を向上させ、システムの容量及びユーザーの遅延に影響を与えてしまう。よって、空間分割したユーザーのペアの選択がＭＵ−ＭＩＭＯシステムの研究のキーポイントになった。
【０００４】
既存技術において、ＭＵ−ＭＩＭＯユーザーペアリング方法は主に以下の２種類に分けられる：第１類は、プリコード化マトリクス指標（Ｐｒｅｃｏｄｉｎｇ  Ｍａｔｒｉｘ  Ｉｎｄｉｃａｔｏｒ、ＰＭＩと略称）から干渉及び相関性を計算してからペアリングを実現する。ＰＭＩの数量が共通参照信号（Ｃｏｍｍｏｎ  Ｒｅｆｅｒｅｎｃｅ  Ｓｉｇｎａｌ、ＣＲＳと略称）ポート数に制限され、且つ一定のＣＲＳポートについてプロトコルに規定されたコードブック数も限られているので、プリコード化マトリクスに量子化誤差があると、つまり実際のチャネルマトリクスと誤差があると、計算される干渉に誤差が含まれ、且つビームフォーミング方向が間違ってしまう。第２類は、チャネルマトリクスに特異値分解を行って、零空間を計算する。全てのユーザーのチャネルマトリクスに特異値分解を行わなければならないので、空間分割するユーザーが多い時、計算量が大きく、複雑である。そして、このような方法で第１ペアユーザーを選択した後は、ユーザー間の干渉のみを考慮し、他のペアをなすユーザーのチャネル品質指標（Ｃｈａｎｎｅｌ  Ｑｕａｌｉｔｙ  Ｉｎｄｉｃａｔｅ、ＣＱＩと略称）は考慮しないので、容量や複雑度の方面から優れていない。そして、Ｍａｓｓｉｖｅ  ＭＩＭＯ技術が導入されたので、空間分割するユーザーが大幅に増やされ、量化誤差や複雑度による影響が一層明確になった。
【０００５】
従って、既存技術においてユーザーがＭＵ−ＭＩＭＯを用いてペアリングを行う時に、干渉誤差が存在し、ペアリング容量が小さく、複雑度が高い問題がある。
【発明の概要】
【発明が解決しようとする課題】
【０００６】
本発明は、少なくとも既存技術においてユーザーがＭＵ−ＭＩＭＯを用いてペアリングを行う時に、干渉誤差が存在し、ペアリング容量が小さく、複雑度が高い問題を解決できるユーザーペアリング処理方法、装置及び基地局を提供する。
【課題を解決するための手段】
【０００７】
本発明の一態様によると、ユーザー機器ＵＥが報知したチャネルマトリクスＨを生成するための信号を受信することと、受信した前記信号に基づいて、前記ＵＥのチャネルマトリクスＨを生成することと、生成した前記Ｈに基づいて、ＵＥ間の相関性を表記するための空間分割情報テーブルを生成することと、生成した前記空間分割情報テーブルに基づいて、ペアをなすユーザーを確定することと、を含むユーザーペアリング処理方法を提供する。
【０００８】
好ましくは、生成した前記Ｈに基づいて、ＵＥ間の相関性を表記するための前記空間分割情報テーブルを生成することは、二つずつのＵＥ間の相関性が所定の閾値未満であるか否かを判断することと、判断結果がＹＥＳである場合、前記ＵＥ間でペアリングを支援すると確定し、及び／又は、判断結果がＮＯである場合、前記ＵＥ間でペアリングを支援しないと確定することであって、但し、前記空間分割情報テーブルにて前記ＵＥがペアリングを支援するか支援しないかを表記することを含む。
【０００９】
好ましくは、生成した前記空間分割情報テーブルに基づいて、ペアをなすユーザーを確定することは、各ＵＥとのペアリングを支援するＵＥの数量を確定することと、それとのペアリングを支援する前記ＵＥの数量に基づいて、前記ＵＥに順位つけを行うことと、前記数量の多い順で、ユーザーペアリングを完成するまで、前記ＵＥとのペアリングを支援しないＵＥを削除することと、を含む。
【００１０】
好ましくは、それとのペアリングを支援する前記ＵＥの数量に基づいて、前記ＵＥに順位つけを行うことは、それとのペアリングを支援する前記ＵＥの数量が同じである場合、前記ＵＥのユーザー優先度に基づいて、前記ＵＥに順位つけを行うことを含む。
【００１１】
好ましくは、生成した前記空間分割情報テーブルに基づいて、ペアをなすユーザーを確定する前、前記ＵＥのサービス品質ＱｏＳ優先度、変調符号化メカニズムＭＣＳ情報、バッファ状態報告ＢＳＲ情報の中の少なくとも一つの情報を確定し、確定した前記ＵＥの前記情報の中の少なくとも一つと前記空間分割情報テーブルに基づいて、ペアをなすユーザーを確定することを更に含む。
【００１２】
本発明の他の一態様によると、ユーザー機器ＵＥが報知したチャネルマトリクスＨを生成するための信号を受信するように構成される受信モジュールと、受信した前記信号に基づいて、前記ＵＥのチャネルマトリクスＨを生成するように構成される第１の生成モジュールと、生成した前記Ｈに基づいて、ＵＥ間の相関性を表記するための空間分割情報テーブルを生成するように構成される第２の生成モジュールと、生成した前記空間分割情報テーブルに基づいて、ペアをなすユーザーを確定するように構成される第１の確定モジュールと、を含むユーザーペアリング処理装置を提供する。
【００１３】
好ましくは、前記第２の生成モジュールが、二つずつのＵＥ間の相関性が所定の閾値未満であるか否かを判断するように構成される判断ユニットと、前記判断ユニットの判断結果がＹＥＳである場合、前記ＵＥ間でペアリングを支援すると確定するように構成される第１の確定ユニットと、及び／又は、前記判断ユニットの判断結果がＮＯである場合、前記ＵＥ間でペアリングを支援しないと確定するように構成される第２の確定ユニットと、を含み、ここで、前記空間分割情報テーブルにて前記ＵＥがペアリングを支援するか支援しないかを表記する。
【００１４】
好ましくは、前記第１の確定モジュールが、各ＵＥとのペアリングを支援するＵＥの数量を確定するように構成される第３の確定ユニットと、それとのペアリングを支援する前記ＵＥの数量に基づいて、前記ＵＥに順位つけを行うように構成される順位つけユニットと、前記数量の多い順で、ユーザーペアリングを完成するまで、前記ＵＥとのペアリングを支援しないＵＥを削除するように構成される削除ユニットと、を含む。
【００１５】
好ましくは、前記順位つけユニットが、それとのペアリングを支援する前記ＵＥの数量が同じである場合、前記ＵＥのユーザー優先度に基づいて、前記ＵＥに順位つけを行うように構成される順位つけサブユニットを含む。
【００１６】
該装置が、前記ＵＥのサービス品質ＱｏＳ優先度、変調符号化メカニズムＭＣＳ情報、バッファ状態報告ＢＳＲ情報の中の少なくとも一つの情報を確定し、確定した前記ＵＥの前記情報の中の少なくとも一つと前記空間分割情報テーブルに基づいて、ペアをなすユーザーを確定するように構成される第２の確定モジュールを更に含むことが好ましい。
【００１７】
本発明の更なる他の一態様によると、上記したいずれかの装置を含む基地局を提供する。
【発明の効果】
【００１８】
本発明によると、ユーザー機器ＵＥが報知したチャネルマトリクスＨを生成するための信号を受信することと、受信した前記信号に基づいて、前記ＵＥのチャネルマトリクスＨを生成することと、生成した前記Ｈに基づいて、ＵＥ間の相関性を表記するための空間分割情報テーブルを生成することと、生成した前記空間分割情報テーブルに基づいて、ペアをなすユーザーを確定することとを含む技術案を用いることで、既存技術においてユーザーがＭＵ−ＭＩＭＯを用いてペアリングを行う時に、干渉誤差が存在し、ペアリング容量が小さく、複雑度が高い問題を解決し、ユーザーペアリングの複雑度を簡略化し、ＭＵ−ＭＩＭＯシステムの容量を向上させる効果を実現できる。
【図面の簡単な説明】
【００１９】
ここで説明する図面は本発明を一層理解させるためのもので、本願の一部を構成し、本発明に示す実施例及びその説明は本発明を解釈するもので、本発明を限定するものではない。
【図１】本発明の実施例に係るユーザーペアリング処理方法を示すフローチャートである。
【図２】本発明の実施例に係るユーザーペアリング処理装置の構造を示すブロック図である。
【図３】本発明の実施例に係るユーザーペアリング処理装置における第２の生成モジュール２６の好適な構造を示すブロック図である。
【図４】本発明の実施例に係るユーザーペアリング処理装置における第１の確定モジュール２８の好適な構造を示すブロック図である。
【図５】本発明の実施例に係るユーザーペアリング処理装置における第１の確定モジュール２８中の順位つけユニット４４の好適な構造を示すブロック図である。
【図６】本発明の実施例に係るユーザーペアリング処理装置の好適な構造を示すブロック図である。
【図７】本発明の実施例に係る基地局の構造を示すブロック図である。
【図８】本発明の無線通信システムのマルチユーザーのペアリング方法を示すフローチャートである。
【図９】本発明の無線通信システムのマルチユーザーのペアリング装置の構造を示すブロック図である。
【図１０】本発明の好適な実施例に係る無線通信システムのマルチユーザーペアリングを示すフローチャートである。
【発明を実施するための形態】
【００２０】
以下、図面を参照しつつ実施例を結合して本発明を詳しく説明する。なお、矛盾しない限り、本願の実施例及び実施例中の特徴を組み合わせすることができる。
【００２１】
本実施例においてユーザーペアリング処理方法を提供し、図１は本発明の実施例に係るユーザーペアリング処理方法を示すフローチャートで、図１に示すように、以下のステップステップＳ１０２〜Ｓ１０８を含む。
【００２２】
ステップＳ１０２において、ユーザー機器ＵＥが報知した、例えば監視参照信号（Ｓｏｕｎｄｉｎｇ  Ｒｅｆｅｒｅｎｃｅ  Ｓｉｇｎａｌ、ＳＲＳと略称）、ＰＭＩ等のチャネルマトリクスＨを生成するための信号を受信する。
【００２３】
ステップＳ１０４において、受信した上記信号に基づいて、ＵＥのチャネルマトリクスＨを生成する。
【００２４】
ステップＳ１０６において、生成したＨに基づいて、ＵＥ間の相関性を表記するための空間分割情報テーブルを生成する。
【００２５】
ステップＳ１０８において、生成した空間分割情報テーブルに基づいて、ペアをなすユーザーを確定する。
【００２６】
上記ステップによると、受信したＳＲＳに基づいて生成したチャネルマトリクスＨに基づいて、ＵＥ間の相関性を表記するための空間分割情報テーブルを取得し、生成した空間分割情報テーブルに基づいてペアをなすユーザーを確定することで、上記処理によると、既存技術においてユーザーがＭＵ−ＭＩＭＯを用いてペアリングを行う時に、干渉誤差が存在し、ペアリング容量が小さく、複雑度が高い問題を解決し、ユーザーペアリングの複雑度を簡略化し、ＭＵ−ＭＩＭＯシステムの容量を向上させる効果を実現できる。
【００２７】
ここで、受信した前記ＳＲＳ、ＰＭＩ等の信号に基づいて、前記ＵＥのチャネルマトリクスＨを生成する時、ＵＥが支援するアンテナの違いに基づいて、異なる処理方式を用いることができる。例えば、ＵＥの一つのアンテナをＨとして選択することができる。ＵＥがＳＲＳアンテナによる順序送信を支援する時、その中の一つのアンテナのチャネルマトリクスをランダムに選択することができる。ＵＥがＳＲＳアンテナによる順序送信を支援しない時、チャネルマトリクスは該アンテナのチャネルマトリクスＨ＝ＳＲＳ受信/ＳＲＳ送信である。ここで、ＳＲＳ受信は受信端のＳＲＳ信号で、ＳＲＳ送信は送信端のＳＲＳ信号である。
【００２８】
相関性の重み付け値を計算する前、まずチャネルマトリクスＨに正規化処理を行って、Ｃｏｖ＝Ｈｉ’＊ＨｊからＵＥ間の相関係数を得る。ここでのＨｉとＨｊはそれぞれＵＥｉとＵＥｊの正規化チャネルマトリクスである。その後、生成したＨに基づいてＵＥ間の相関性を表記するための空間分割情報テーブルを生成する時、さまざまな方式で処理することができる。例えば、二つずつのＵＥ間の相関性が所定の閾値未満であるか否かを判断し、判断結果がＹＥＳである場合、ＵＥ間でペアリングを支援すると確定し、及び／又は、判断結果がＮＯである場合、ＵＥ間でペアリングを支援しないと確定する。ここで、前記空間分割情報テーブルにて前記ＵＥがペアリングを支援するか支援しないかを表記する。即ち、相関すると判断された時に、一つのマークで表記し、相関しないと判断された時には、他のマークで表記する。
【００２９】
生成した空間分割情報テーブルに基づいて、ペアをなすユーザーを確定する時もさまざまな方式で処理することができ、例えば以下のような好適な処理方式を用いることができる：まず各ＵＥとのペアリングを支援するＵＥの数量を確定し、その後、それとのペアリングを支援するＵＥの数量に基づいて、ＵＥに順位つけを行い、該数量の多い順で、ユーザーペアリングを完成するまで、ＵＥとのペアリングを支援しないＵＥを削除する。このような処理を経て、一層多いユーザーの空間分割を実現し、ＭＵ−ＭＩＭＯのシステムの容量を向上させることができる。
【００３０】
なお、それとのペアリングを支援するＵＥの数量に基づいて、ＵＥに順位つけを行う時、それとのペアリングを支援するＵＥの数量が同じである時があって、このような場合、ＵＥのユーザー優先度に基づいて、ＵＥに順位つけを行うことができる。
【００３１】
好ましくは、生成した空間分割情報テーブルに基づいてペアをなすユーザーを確定する前、ユーザーにペアリングを行う時、可能な要素をできるかぎり全面的に考慮するため、例えば、各ペアリング要素を総合的に考慮することができ、例えば、まずＵＥのサービス品質ＱｏＳ優先度、変調符号化メカニズムＭＣＳ情報、バッファ状態報告ＢＳＲ情報の中の少なくとも一つの情報を確定し、確定したＵＥの上記情報の中の少なくとも一つと空間分割情報テーブルに基づいて、ペアをなすユーザーを確定することを更に含む。
【００３２】
本実施例においてユーザーペアリング処理装置を提供し、該装置は上記実施例及び好適な実施形態を実現するためのものであって、既に説明した部分の説明は省略する。以下の説明で用いられる用語「モジュール」は所定の機能を実現できるソフトウェア及び／又はハードウェアの組み合わせである。以下の実施例で説明する装置をソフトウェアで実現することが好ましいが、ハードウェア又はソフトウェアとハードウェアの組み合わせによって実現することも可能である。
【００３３】
図２は本発明の実施例に係るユーザーペアリング処理装置の構造を示すブロック図で、図２に示すように、該装置は、受信モジュール２２と、第１の生成モジュール２４と、第２の生成モジュール２６と、第１の確定モジュール２８と、を含み、以下該装置を説明する。
【００３４】
受信モジュール２２は、ユーザー機器ＵＥが報知したチャネルマトリクスＨを生成するための信号を受信するように構成される。第１の生成モジュール２４は、上記受信モジュール２２に接続されて、受信した上記信号に基づいて、ＵＥのチャネルマトリクスＨを生成するように構成される。第２の生成モジュール２６は、上記第１の生成モジュール２４に接続されて、生成したＨに基づいて、ＵＥ間の相関性を表記するための空間分割情報テーブルを生成するように構成される。第１の確定モジュール２８は、上記第２の生成モジュール２６に接続されて、生成した空間分割情報テーブルに基づいて、ペアをなすユーザーを確定するように構成される。
【００３５】
図３は本発明の実施例に係るユーザーペアリング処理装置における第２の生成モジュール２６の好適な構造を示すブロック図で、図３に示すように、該第２の生成モジュール２６は、判断ユニット３２と、第１の確定ユニット３４及び／又は第２の確定ユニット３６と、を含み、以下、該第２の生成モジュール２６を説明する。
【００３６】
判断ユニット３２は、二つずつのＵＥ間の相関性が所定の閾値未満であるか否かを判断するように構成される。第１の確定ユニット３４は、上記判断ユニット３２に接続されて、判断ユニット３２の判断結果がＹＥＳである場合、ＵＥ間でペアリングを支援すると確定するように構成され、及び／又は、第２の確定ユニット３６は、上記判断ユニット３２に接続されて、判断ユニット３２の判断結果がＮＯである場合、ＵＥ間でペアリングを支援しないと確定するように構成される。ここで、前記空間分割情報テーブルにて前記ＵＥがペアリングを支援するか支援しないかを表記する。
【００３７】
図４は本発明の実施例に係るユーザーペアリング処理装置における第１の確定モジュール２８の好適な構造を示すブロック図で、図４に示すように、該第１の確定モジュール２８は、第３の確定ユニット４２と、順位つけユニット４４と、削除ユニット４６と、を含み、以下該第１の確定モジュール２８を説明する。
【００３８】
第３の確定ユニット４２は、各ＵＥとのペアリングを支援するＵＥの数量を確定するように構成される。順位つけユニット４４は、上記第３の確定ユニット４２に接続されて、それとのペアリングを支援するＵＥの数量に基づいて、ＵＥに順位つけを行うように構成される。削除ユニット４６は、上記順位つけユニット４４に接続されて、上記数量の多い順で、ユーザーペアリングを完成するまで、ＵＥとのペアリングを支援しないＵＥを削除するように構成される。
【００３９】
図５は本発明の実施例に係るユーザーペアリング処理装置における第１の確定モジュール２８中の順位つけユニット４４の好適な構造を示すブロック図で、図５に示すように、該順位つけユニット４４は、順位つけサブユニット５２を含み、以下において該順位つけサブユニット５２を説明する。
【００４０】
順位つけサブユニット５２は、それとのペアリングを支援するＵＥの数量が同じである場合、ＵＥのユーザー優先度に基づいて、ＵＥに順位つけを行うように構成される。
【００４１】
図６は本発明の実施例に係るユーザーペアリング処理装置の好適な構造を示すブロック図で、図６に示すように、該装置は第２の確定モジュール６２を更に含み、以下において該第２の確定モジュール６２を説明する。
【００４２】
第２の確定モジュール６２は、上記第２の生成モジュール２６と第１の確定モジュール２８に接続されて、ＵＥのサービス品質ＱｏＳ優先度、変調符号化メカニズムＭＣＳ情報、バッファ状態報告ＢＳＲ情報の中の少なくとも一つの情報を確定し、確定したＵＥの上記情報の中の少なくとも一つと空間分割情報テーブルに基づいて、ペアをなすユーザーを確定するように構成される。
【００４３】
図７は本発明の実施例に係る基地局の構造を示すブロック図で、図７に示すように、該基地局７０は上述したいずれかのユーザーペアリング処理装置７２を含む。
【００４４】
既存技術においてユーザーがＭＵ−ＭＩＭＯを利用してペアリングを行う時、既存技術における２種類の方式でペアリングを行う時に発生するトリガーの構築時間と保持時間とが短い問題について、本実施例において、無線通信システムＭＵ−ＭＩＭＯマルチユーザーペアリングの方法を提供し、図８は本発明の無線通信システムのマルチユーザーのペアリング方法を示すフローチャートで、図８に示すように、以下のステップＳ８０２〜Ｓ８０６を含む。
【００４５】
ステップＳ８０２において、ユーザーの、例えばＵＥが報知したＳＲＳを受信することができる等の信号品質情報を受信する。
【００４６】
ステップＳ８０４において、ユーザー間の相関性を計算し、例えばＵＥが報知したＳＲＳからＵＥのチャネルマトリクスＨを計算することができ、Ｈから二つずつのＵＥ間の相関性を計算して、空間分割情報テーブルを生成する。
【００４７】
ステップＳ８０６において、ユーザー間の相関性に基づいて、ペアをなすユーザーを確定し、例えば、空間分割情報テーブルに基づいてペアをなすユーザーを確定することができる。ここで、空間分割情報テーブルに基づいてペアをなすユーザーを確定する時、さまざまな方式を利用することができる。例えば、空間分割情報テーブルに基づいて各ＵＥとそれと相関性条件を満たすＵＥの数量を確定し、その後、相関性条件を満たすＵＥ数量に基づいて、ＵＥに再び順位つけを行って、順位つけ後の優先度の最も高いＵＥをルートノードとして、全てのＵＥを調査し、ペアリングを完成するまで、空間分割情報テーブル中のルートノードと相関性要求を満たさないＵＥを順に削除する。
【００４８】
上記方法によると、本実施例において、無線通信システムＭＵ−ＭＩＭＯのマルチユーザーペアリング装置を提供し、図９は本発明の無線通信システムのマルチユーザーペアリング装置の構造を示すブロック図で、図９に示すように、該装置は、信号受信モジュール９２（その機能は上記受信モジュール２２と同じである）と、データ処理モジュール９４（その機能は上記第１の生成モジュール２４及び第２の生成モジュール２６と同じである）と、ペア出力モジュール９６（その機能は上記第１の確定モジュール２８と同じである）と、を含む。以下、その構造を説明する。
【００４９】
信号受信モジュール９２は、ユーザーが報知したＳＲＳを受信するように構成される。データ処理モジュール９４は、ユーザーが報知したＳＲＳに基づいて、ユーザー間の相関性を計算するように構成される。ペア出力モジュール９６は、ユーザー間の相関性に基づいて、ペアをなすユーザーを確定するように構成される。
【００５０】
既存技術におけるＭＵ−ＭＩＭＯペアリング技術に比べ、ペアリングを行う前にＵＥのＱｏＳ優先度を考慮し、また要求を満たす二つずつのＵＥの相関性に基づいて、ペアリング対象ＵＥに順位つけを行うことで、一層多いユーザーの空間分割を実現し、ＭＵ−ＭＩＭＯのシステムの容量を向上させることができる。
【００５１】
図１０は本発明の好適な実施例に係る無線通信システムのマルチユーザーペアリングを示すフローチャートで、図１０に示すように、以下のステップＳ１００２〜Ｓ１０１６を含む：
ステップＳ１００２において、ＵＥが報知したチャネル品質情報を取得する。
【００５２】
ステップＳ１００４において、ＵＥが報知したチャネル品質情報からＵＥ間の相関性を計算する。
【００５３】
ステップＳ１００６において、ＵＥの空間分割情報テーブルを生成する（重み付け値がＣｏｒＴｈｒ未満である時、二つのＵＥはペアリングを支援し、対応する位置に１を記入し、反対に、二つのＵＥがペアリングを支援しないと、対応する位置に０を記入する）。
【００５４】
ステップＳ１００８において、空間分割情報テーブルに基づいて、各ＵＥと相関性条件を満たすＵＥ数量を確定する。
【００５５】
ステップＳ１０１０において、各ＵＥと相関性条件を満たすＵＥ数量に基づいて、再び順位つけを行って、数量が同じであると、ユーザーの優先度に従って順位つけする。
【００５６】
ステップＳ１０１２において、順位つけ後の優先度が最も高いＵＥをルートノードとしてセット検索を行って、空間分割情報テーブル中の優先度が最も高いＵＥと相関性要求を満たさないＵＥを削除し、空間分割情報テーブルを更新する。
【００５７】
ステップＳ１０１４において、優先度順に従って、優先度が次に高いＵＥを選択し、空間分割情報テーブル中の優先度が次に高いＵＥと相関性要求を満たさないＵＥを削除して、空間分割情報テーブルを更新する。
【００５８】
ステップＳ１０１６において、全てのＵＥの検索が完成するまで、上記ステップを繰り返し、最終的にペアをなすＵＥセットを得る。
【００５９】
上記した本発明の各モジュール又は各ステップを共通の計算装置によって実現することができ、単独の計算装置に集中させることができれば、複数の計算装置から構成されるネットワークに分布させることもでき、更に計算装置が実行可能なプログラムコードによって実現することもできるので、それらを記憶装置に記憶させて計算装置によって実行することができ、場合によっては、他の順で図に示す又は説明したステップを実行することができ、又は夫々集積回路モジュールに製作し、又はそれらの中の複数のモジュール又はステップを単一の集積回路モジュールに製作して実現できることは当業者にとって明らかなことである。このように、本発明は如何なる特定のハードウェアとソフトウェアの結合にも限定されない。
【００６０】
以上は、本発明の好適な実施例に過ぎず、本発明を限定するものではない。当業者であれば本発明にさまざまな修正や変形が可能である。本発明の精神や原則内での全ての修正、同等置換、改良などは本発明の保護範囲内に含まれる。
【産業上の利用可能性】
【００６１】
上記実施例及び好適な実施形態によると、既存技術においてユーザーがＭＵ−ＭＩＭＯを用いてペアリングを行う時に、干渉誤差が存在し、ペアリング容量が小さく、複雑度が高い問題を解決し、ユーザーペアリングの複雑度を簡略化し、ＭＵ−ＭＩＭＯシステムの容量を向上させる効果を実現できる。
【図１】
0006509332.tif 000002
【図２】
0006509332.tif 000003
【図３】
0006509332.tif 000004
【図４】
0006509332.tif 000005
【図５】
0006509332.tif 000006
【図６】
0006509332.tif 000007
【図７】
0006509332.tif 000008
【図８】
0006509332.tif 000009
【図９】
0006509332.tif 000010
【図１０】
0006509332.tif 000011